(57)【特許請求の範囲】
【請求項１】
原券媒体と、
前記原券媒体に印刷され、改札処理に必要な改札情報に対応した券面情報と、
紫外線を吸収して発光するＵＶインクによって前記原券媒体において前記券面情報とは異なった位置に印刷され、前記改札情報に対応した二次元コードと、
前記原券媒体に前記二次元コードを囲むよう印刷され、前記二次元コードの位置を案内するガイドと、
を備えたことを特徴とする券媒体。
【請求項２】
改札処理に必要な改札情報に対応した券面情報を原券媒体に印刷する第１印刷手段と、
紫外線を吸収して発光するＵＶインクにより前記改札情報に対応した二次元コードを前記原券媒体に印刷する第２印刷手段と、
を備えており、
前記第１印刷手段は、前記二次元コードの位置を案内するガイドも前記二次元コードを囲むよう前記原券媒体に印刷する、
ことを特徴とする券媒体処理装置。
【請求項３】
さらに、前記改札情報の入力を受け付ける入力手段を備えたことを特徴とする請求項２に記載の券媒体処理装置。
【請求項４】
さらに、前記原券媒体を収容する収容部から前記原券媒体を取り出し、前記第１印刷手段及び前記第２印刷手段にそれぞれ前記原券媒体を搬送し、前記原券媒体に前記券面情報及び前記ガイド及び前記二次元コードを印刷済の券媒体を排出部から排出する搬送手段を備えたことを特徴とする請求項２又は３に記載の券媒体処理装置。
【請求項５】
改札処理に必要な改札情報に対応した券面情報が印刷されているとともに前記券面情報とは異なった位置にガイドが印刷されていて、さらに前記ガイドの内側に紫外線を吸収して発光するＵＶインクにより前記改札情報に対応した二次元コードが前記ガイドに囲まれて印刷されている券媒体において、前記二次元コードを読み取る読取手段と、
前記読取手段により読み取られた前記二次元コードから改札処理に必要な改札情報をデコードするデコード手段と、
前記デコード手段によりデコードされた前記改札情報に基づいて改札処理を行う改札手段と、
を備えたことを特徴とする券媒体処理装置。
【請求項６】
前記読取手段は、前記二次元コードに向けて紫外線を照射する光源部と、前記光源部からの紫外線を吸収して発光した前記二次元コードを撮像する撮像部と、を備えたことを特徴とする請求項５に記載の券媒体処理装置。
【請求項７】
さらに、前記改札手段により改札通路の通行を許可しない旨の判定がなされたのに基づいて、改札通路を閉鎖するドア機構を備えたことを特徴とする請求項５または６に記載の券媒体処理装置。
【発明の詳細な説明】
【技術分野】
【０００１】
本発明の実施形態は、券媒体及び券媒体処理装置に関する。
【背景技術】
【０００２】
近年、改札処理の省力化を目的として、改札機が導入されている。この改札機は、利用者が駅構内や遊戯施設などの施設内に入場する場合や、施設内から出場する場合などに、入場券や乗車券などの券媒体の改札情報に基づいて入場処理または出場処理といった改札処理を行う。
【０００３】
このような改札機を利用するための券媒体としては、改札情報を磁気情報として記録した磁気式の券媒体や、改札情報を記憶したメモリを有し改札機との間で無線通信が可能な券媒体（ＩＣチップを内蔵したＩＣカードや携帯端末機器などを含む）などが実用化されている。
【０００４】
また、近年では、券媒体として、二次元コードからなる券情報を有する携帯端末機器、二次元コードが印刷された媒体を利用し、入出場処理等を行う券情報処理システムが提案されている。特に、紙などの原券媒体に二次元コードを印刷して券媒体として運用することを想定した場合、複製の対策が要求されるとともに、汚染による読取精度の低下に対する対策が要求される。
【先行技術文献】
【特許文献】
【０００５】
【特許文献１】特開２００６−５９２４９号公報
【発明の概要】
【発明が解決しようとする課題】
【０００６】
本実施形態の目的は、複製が困難であるとともに汚染されても読取精度の低下を抑制することが可能な二次元コードを有する券媒体、及び、この券媒体を処理する券媒体処理装置を提供することにある。
【課題を解決するための手段】
【０００７】
本実施形態によれば、原券媒体と、前記原券媒体に印刷され、改札処理に必要な改札情報に対応した券面情報と、紫外線を吸収して発光するＵＶインクによって前記原券媒体において前記券面情報とは異なった位置に印刷され、前記改札情報に対応した二次元コードと、前記原券媒体に二次元コードを囲むよう印刷され、前記二次元コードの位置を案内するガイドと、を備えたことを特徴とする券媒体が提供される。
【０００８】
本実施形態によれば、
改札処理に必要な改札情報に対応した券面情報を原券媒体に印刷する第１印刷手段と、紫外線を吸収して発光するＵＶインクにより前記改札情報に対応した二次元コードを前記原券媒体に印刷する第２印刷手段と、を備えており、前記第１印刷手段は、前記二次元コードの位置を案内するガイドも前記二次元コードを囲むよう前記原券媒体に印刷する、ことを特徴とする券媒体処理装置が提供される。
【０００９】
本実施形態によれば、
改札処理に必要な改札情報に対応した券面情報が印刷されているとともに前記券面情報とは異なった位置にガイドが印刷されていて、さらに前記ガイドの内側に紫外線を吸収して発光するＵＶインクにより前記改札情報に対応した二次元コードが前記ガイドに囲まれて印刷されている券媒体において、前記二次元コードを読み取る読取手段と、前記読取手段により読み取られた前記二次元コードから改札処理に必要な改札情報をデコードするデコード手段と、前記デコード手段によりデコードされた前記改札情報に基づいて改札処理を行う改札手段と、を備えたことを特徴とする券媒体処理装置が提供される。
【図面の簡単な説明】
【００１０】
【図１】図１は、本実施形態における券媒体の一例を概略的に示す図である。
【図２】図２は、本実施形態における券媒体の他の例を概略的に示す図である。
【図３】図３は、本実施形態の券媒体に適用可能なガイドの他の例を概略的に示す図である。
【図４】図４は、本実施形態における券媒体処理装置の一例である券売機の構成を概略的に示すブロック図である。
【図５】図５は、本実施形態における券媒体処理装置の他の例である改札機の構成を概略的に示すブロック図である。
【発明を実施するための形態】
【００１１】
以下、本実施形態について、図面を参照しながら詳細に説明する。なお、各図において、同一又は類似した機能を発揮する構成要素には同一の参照符号を付し、重複する説明は省略する。
【００１２】
まず、本実施形態における券媒体について説明する。
【００１３】
図１は、本実施形態における券媒体Ｔの一例を概略的に示す図である。  
すなわち、券媒体Ｔは、原券媒体５０と、改札処理に必要な改札情報に対応した券面情報５１と、改札情報に対応した二次元コード５２と、によって構成されている。なお、ここでは、券媒体が乗車券である場合について説明するが、本実施形態の券媒体は、乗車券に限らず、遊戯施設などの施設内への入場に利用される入場券などであっても良い。
【００１４】
原券媒体５０は、例えば、紙によって形成された券紙やプラスチック製のカードなどである。図示した例では、原券媒体５０は、略長方形状に形成されているが、その形状について特に制限はない。なお、この原券媒体５０には、予め各種模様等がプレ印刷されていても良い。
【００１５】
券面情報５１は、例えば、黒色インクや赤色インクなどの可視インクによって原券媒体５０に印刷されている（原券媒体５０が感熱紙である場合には、券面情報５１は、加熱されることによって発色するインクによって印刷される）。このような券面情報５１は、肉眼で観察可能である。図示した例のように、券媒体Ｔが乗車券である場合には、券面情報５１には、発駅、運賃（区数金額）などが含まれる。また、この券面情報５１には、発行日時、着駅、券媒体Ｔの識別情報（ＩＤ）などの各種情報が含まれていても良い。
【００１６】
二次元コード５２は、紫外線を吸収して発光するＵＶインクによって原券媒体５０に印刷されている。このような二次元コード５２は、透明であって、肉眼では観察できない。この二次元コード５２には、券媒体Ｔの識別情報（ＩＤ）の他に、乗車券として必要な発駅、着駅、区数、発行日時などの各種情報がエンコードされている。
【００１７】
また、この券媒体Ｔは、二次元コード５２の位置を案内するガイド５３を備えている。このガイド５３は、券面情報５１と同様に肉眼で観察可能な可視インクによって原券媒体５０に印刷されている。なお、ガイド５３は、原券媒体５０に予めプレ印刷されていても良いし、券面情報５１を印刷する際に原券媒体５０に印刷されても良い。図示した例では、ガイド５３は、二次元コード５２を囲む矩形枠状のパターンとして表記されている。
【００１８】
図１に示した例の券媒体Ｔでは、券面情報５１及び二次元コード５２が原券媒体５０の同一面に印刷されていたが、この例に限らない。
【００１９】
図２は、本実施形態における券媒体Ｔの他の例を概略的に示す図である。  
図２に示した例の券媒体Ｔでは、券面情報５１及び二次元コード５２が原券媒体５０の異なる面に印刷されている。すなわち、券面情報５１は原券媒体５０の一方の面（あるいは表面）５０Ａに印刷されているのに対して、二次元コード５２及びガイド５３は原券媒体５０の他方の面（あるいは裏面）５０Ｂに印刷されている。
【００２０】
図１及び図２に示した例の券媒体Ｔでは、ガイド５３は、二次元コード５２を囲む矩形枠状のパターンとして表記されたが、この例に限らない。
【００２１】
図３は、本実施形態の券媒体Ｔに適用可能なガイド５３の他の例を概略的に示す図である。  
図３において、（Ａ）で示した例では、ガイド５３は、二次元コード５２を囲む円形状のパターンとして表記されている。図３において、（Ｂ）で示した例では、ガイド５３は、二次元コード５２の外側において二次元コード５２の角に沿ったＬ字状のパターンとして表記されている。ここに示した例では、２つのＬ字状のパターンが対角の位置に表記されている。
【００２２】
図３において、（Ｃ）で示した例では、ガイド５３は、二次元コード５２の外側において二次元コード５２の各辺に沿った直線状のパターンとして表記されている。ここに示した例では、４つの直線状のパターンが四方に表記されている。図３において、（Ｄ）で示した例では、ガイド５３は、二次元コード５２の外側において二次元コード５２の角付近にアスタリスクとして表記されているが、他の記号やマークなどであっても良い。ここに示した例では、２つのアスタリスクが対角の位置に表記されている。  
上記のような構成の券媒体Ｔによれば、改札処理に利用される二次元コード５２は、肉眼で観察できない特殊なＵＶインクによって印刷されている。このため、通常の複写機で二次元コード５２を複製することは困難である。したがって、二次元コード５２を複製した不正使用を防止することが可能となる。また、例え券媒体Ｔが汚染されたとしても、二次元コード５２は、紫外線を吸収して発光するため、シミを透過して判読することが可能となる。このため、二次元コード５２を読み取る券媒体処理装置側での読取精度の低下を抑制することが可能となる。
【００２３】
さらに、券面情報５１は、肉眼で観察可能であるため、利用者や係員が券媒体Ｔの内容を容易に確認することが可能となる。また、二次元コード５２は肉眼で観察できないものの、二次元コード５２の位置を案内するガイド５３が肉眼で観察可能であるため、券媒体Ｔを利用する利用者が券媒体処理装置に二次元コード５２を正しく読み取らせることが可能となる。このため、二次元コード５２を読み取るための読取エリアを大きく確保できなくても、読取精度の低下を抑制することが可能となる。
【００２４】
次に、本実施形態における券媒体処理装置について説明する。ここでは、券媒体処理装置の一例として券売機及び改札機について説明するとともに、券媒体処理方法の一例として券売機における券媒体Ｔの発行方法及び改札機における券媒体Ｔを利用した改札処理について説明する。
【００２５】
図４は、本実施形態における券媒体処理装置の一例である券売機２の構成を概略的に示すブロック図である。
【００２６】
券売機２は、利用者の操作に応じて券媒体Ｔを発行する発行業務を行う。より具体的には、券売機２は、施設内への入場券、各種乗車券、定期券、特急券、回数券などの各種券媒体Ｔを発行する。なお、詳述しないが、券売機２には、券媒体Ｔの改札情報に基づいて利用額の不足分を精算し、精算券を発行する精算機も含まれる。
【００２７】
すなわち、券売機２は、制御部２１、通信部２２、メモリ２３、表示部２４、入力手段として機能する操作部２５、音声出力部２６、金額処理部２７、搬送手段として機能する搬送部２８、第１印刷手段として機能する第１印刷部２９、第２印刷手段として機能する第２印刷部３０などを有している。
【００２８】
制御部２１は、券媒体Ｔの発行に際して券売機２を構成する各部の制御を行うものである。通信部２２は、上位のホストコンピュータなどとの間で通信を行うインターフェースである。メモリ２３は、券売機２の制御に必要な制御データや、各種券媒体Ｔを発行する発行業務を行うのに必要な各種発行データなどを記憶している。
【００２９】
表示部２４は、液晶表示器などで構成されている。この表示部２４は、制御部２１による制御に基づいて、券売機２を利用する利用者に対して券媒体Ｔの発行業務に必要な各種操作を案内する画面や、発行する券媒体Ｔの内容などの種々の情報を案内する画面などを表示する。
【００３０】
操作部２５は、各種ボタンや、接触を検知したのに基づいて対応する情報を出力するタッチパネルなどで構成されている。この操作部２５は、制御部２１による制御に基づいて、利用者による各種操作の入力を受け付ける。より具体的には、操作部２５は、券面情報５１や二次元コード５２を生成するために必要な改札情報、例えば、券媒体Ｔが乗車券である場合には運賃（区数金額）などの情報の入力を受け付けたりする。表示部２４及び操作部２５の少なくとも一部は、例えば、タッチパネル内蔵の液晶表示器などで構成されている。
【００３１】
音声出力部２６は、制御部２１による制御に基づいて、券売機２を利用する利用者に対して券媒体Ｔの発行業務に必要な各種操作を案内する音声や、発行する券媒体Ｔの内容などの種々の情報を案内する音声などを図示しないスピーカーから出力する。金額処理部２７は、制御部２１による制御に基づいて、利用者によって投入された現金あるいは金額カード（すなわちストアードフェアカードやクレジットカードなど）の金額を処理する。
【００３２】
搬送部２８は、制御部２１による制御に基づいて、券媒体Ｔとなる原券媒体５０を収容している収容部２８Ａから原券媒体５０を取り出し、第１印刷部２９及び第２印刷部３０にそれぞれ原券媒体５０を搬送し、排出部２８Ｂから券媒体Ｔを排出する。収容部２８Ａに収容されている原券媒体５０は、券面情報５１及び二次元コード５２のいずれも印刷されていないものである。排出部２８Ｂから排出される券媒体Ｔは、券面情報５１及び二次元コード５２が印刷済みのものである。
【００３３】
第１印刷部２９は、制御部２１による制御に基づいて、搬送部２８により搬送された原券媒体５０に対して、可視インクにより改札情報に対応した券面情報５１を印刷する。この第１印刷部２９は、感熱紙である原券媒体５０に対して熱を印加する構成であっても良いし、原券媒体５０に向けて可視インクを吐出する構成であっても良い。このような第１印刷部２９によって印刷される券面情報（発駅、運賃（区数金額）など）５１は、操作部２５を介して入力された情報などに基づいて生成される。
【００３４】
第２印刷部３０は、制御部２１による制御に基づいて、搬送部２８により搬送された原券媒体５０に対して、ＵＶインクにより改札情報に対応した二次元コード５２を印刷する。この第２印刷部３０は、原券媒体５０に向けてＵＶインクを吐出する構成である。このような第２印刷部３０によって印刷される二次元コード５２は、例えば、券媒体Ｔの識別情報に加えて、操作部２５を介して入力された情報（例えば、発駅、着駅、区数、発行日時などの各種情報）をエンコードすることによって生成される。
【００３５】
以下に、上述した券媒体Ｔの発行処理について券売機２の各部の動作とともに簡単に説明する。
【００３６】
まず、制御部２１は、操作部２５を介した券媒体Ｔの発行指示の入力や改札情報の入力を受付可能な状態において、発行指示の入力や改札情報の入力を受け付け、且つ、金額処理部２７を制御して券媒体Ｔを発行するのに必要な対価に相当する金額を処理した場合に、当該券媒体Ｔの発行処理を開始する。
【００３７】
そして、搬送部２８は、収容部２８Ａから原券媒体５０を取り出し、第１印刷部２９に原券媒体５０を搬送する。その後、第１印刷部２９は、搬送された原券媒体５０に対して券面情報５１を印刷する。そして、搬送部２８は、第２印刷部３０に原券媒体５０を搬送する。その後、第２印刷部３０は、搬送された原券媒体５０に対して二次元コード５２を印刷する。なお、第１印刷部２９による券面情報５１の印刷と、第２印刷部３０による二次元コード５２の印刷とは、いずれを先に行っても良く、印刷順序は特に問わない。
【００３８】
そして、搬送部２８は、券面情報５１及び二次元コード５２を有する券媒体Ｔを排出部２８Ｂから排出し、券媒体Ｔの発行処理を終了する。
【００３９】
上記のような構成の券売機２によれば、改札処理に利用される二次元コード５２をＵＶインクによって印刷した券媒体Ｔが発行される。このため、通常の複写機で二次元コード５２を複製することは困難である。したがって、二次元コード５２を複製した不正使用を防止することが可能となる。
【００４０】
なお、ガイド５３がプレ印刷されていない原券媒体５０を適用する場合には、上記の第１印刷部２９は、原券媒体５０に券面情報５１を印刷するのに加えて、可視インクによりガイド５３を印刷するように構成されても良い。これにより、ガイド５３を別途印刷するための構成が不要となり、券媒体Ｔを発行するのに要する発行時間の短縮、装置構成の簡素化、及び、装置の低コスト化が可能である。
【００４１】
また、ガイド５３がプレ印刷されている原券媒体５０を適用する場合、あるいは、二次元コード５２の印刷に先立って第１印刷部２９によりガイド５３が印刷された原券媒体５０を適用する場合には、上記の第２印刷部３０は、原券媒体５０に予め印刷されたガイド５３の内側に二次元コード５２を印刷するように構成されても良い。このとき、第２印刷部３０は、二次元コード５２を印刷する際の位置合わせのためにガイド５３を利用しても良い。これにより、二次元コード５２がガイド５３と重なったり、ガイド５３の外側にはみ出したりすることを抑制することが可能である。
【００４２】
図５は、本実施形態における券媒体処理装置の他の例である改札機４の構成を概略的に示すブロック図である。
【００４３】
改札機４は、駅構内や遊戯施設などの各種施設の改札口（あるいは出入口）などにおいて利用者が通行可能な改札通路に沿って配置されている。この改札機４は、利用者が所持している券媒体Ｔの改札情報に基づいて改札処理、つまり施設内に入場する際の入場処理や施設内から出場する際の出場処理などの処理を行う。このような改札処理では、改札機４は、券媒体Ｔから読み取った改札情報に基づいて改札通路の通行の可否を判定する。
【００４４】
すなわち、改札機４は、制御部４１、通信部４２、メモリ４３、表示部４４、ドア制御部４５、読取手段として機能する読取部４６、デコード手段として機能するデコード部４７、改札手段として機能する改札処理部４８などを有している。
【００４５】
制御部４１は、券媒体Ｔによる改札処理に際して、改札機４を構成する各部の制御を行うものである。通信部４２は、上位のホストコンピュータなどとの間で通信を行うインターフェースである。メモリ４３は、改札機４の制御に必要な制御データや、改札処理を行うのに必要な各種データなどを記憶している。
【００４６】
表示部４４は、液晶表示器などで構成されている。この表示部４４は、制御部４１による制御に基づいて、改札機４を利用する利用者に対して操作を案内する画面や改札処理の結果などに対応した案内画面を表示する。ドア制御部４５は、改札機４に設けられているドア機構４５Ａの開閉を制御するものであり、改札処理の結果に対応して改札通路を開放したり閉鎖したりする。
【００４７】
読取部４６は、制御部４１による制御に基づいて、利用者が持参する券媒体ＴからＵＶインクによって印刷された二次元コード５２を読み取る。より具体的には、読取部４６は、券媒体Ｔから二次元コード５２を読み取り可能な所定の読取エリアを有している。このような読取部４６は、例えば、読取エリアに位置する二次元コード５２に向けて紫外線を照射する光源部４６Ａと、光源部４６Ａからの紫外線を吸収して発光した二次元コード５２を撮像する撮像部４６Ｂと、を備えている。
【００４８】
デコード部４７は、制御部４１による制御に基づいて、二次元コード５２から改札処理に必要な改札情報をデコードする。より具体的には、デコード部４７は、読取部４６の撮像部４６Ｂにより撮像された画像を処理し、エンコードされていた各種情報、例えば、発駅、区数、発行日時などの各種情報を取り出す。
【００４９】
改札処理部４８は、制御部４１による制御に基づいて、デコード部４７によりデコードされた改札情報に基づいて改札処理を行う。より具体的には、改札処理部４８は、券媒体Ｔが有する改札情報に基づいて券媒体Ｔの有効性、つまり、利用者の改札通路の通行を許可するか否かを判定する。
【００５０】
以下に、上述した券媒体Ｔを用いた改札処理について改札機４の各部の動作とともに簡単に説明する。
【００５１】
まず、制御部４１は、券媒体Ｔの二次元コード５２が所定の読取エリアに位置しているタイミングで読取部４６を起動する。読取部４６における光源部４６Ａは、読取エリアの二次元コード５２に向けて紫外線を照射する。このとき、撮像部４６Ｂは、紫外線を吸収して発光した二次元コード５２を撮像する。これにより、読取部４６による二次元コード５２の読み取りが行われる。
【００５２】
そして、制御部４１は、読取部４６による二次元コード５２の読み取りが正常に完了したのに伴い、撮像部４６Ｂによって撮像された画像をデコード部４７に出力する。デコード部４７は、撮像された画像から二次元コード５２から改札情報をデコードする。そして、制御部４１は、デコード部４７によりデコードされた改札情報を改札処理部４８に出力する。改札処理部４８は、デコード部４７によりデコードされた改札情報に基づいて、改札処理を行う。ここでは、改札処理部４８は、券媒体Ｔの有効性、つまり、利用者の改札通路の通行を許可するか否かを判定する。
【００５３】
制御部４１は、改札処理部４８により通行を許可する旨の判定がなされた場合には、ドア制御部４５を制御してドア機構４５Ａを駆動し、改札通路を開放する。また、制御部４１は、改札処理部４８により通行を許可しない旨の判定がなされた場合には、ドア制御部４５を制御してドア機構４５Ａを駆動し、改札通路を閉鎖する。以上のようなステップを経て券媒体Ｔによる改札処理を終了する。
【００５４】
上記のような構成の改札機４によれば、ＵＶインクによって印刷された二次元コード５２を読み取って改札処理を行っている。このため、例え券媒体Ｔが汚染されたとしても、二次元コード５２は、シミを透過して発光するため、二次元コード５２を読み取る際の読取精度の低下を抑制することが可能となる。
【００５５】
以上説明したように、複製が困難であるとともに汚染されても読取精度の低下を抑制することが可能な二次元コードを有する券媒体、及び、この券媒体を処理する券媒体処理装置を提供することができる。
【００５６】
なお、本発明のいくつかの実施形態を説明したが、これらの実施形態は、例として提示したものであり、発明の範囲を限定することは意図していない。これらの新規な実施形態は、その他の様々な形態で実施されることが可能であり、発明の要旨を逸脱しない範囲で、種々の省略、置き換え、変更を行うことができる。これらの実施形態やその変形は、発明の範囲や要旨に含まれるとともに、特許請求の範囲に記載された発明とその均等の範囲に含まれる。
【符号の説明】
【００５７】
２…券売機（券媒体処理装置）
２１…制御部  ２５…操作部  ２８…搬送部
２９…第１印刷部  ３０…第２印刷部
４…改札機（券媒体処理装置）
４１…制御部
４６…読取部  ４６Ａ…光源部  ４６Ｂ…撮像部
４７…デコード部  ４８…改札処理部
Ｔ…券媒体
５０…原券媒体  ５１…券面情報
５２…二次元コード  ５３…ガイド
【図１】
0005586404.tif 000002
【図２】
0005586404.tif 000003
【図３】
0005586404.tif 000004
【図４】
0005586404.tif 000005
【図５】
0005586404.tif 000006